(57)【要約】【課題】家庭内でガス漏れが発生しマイコンメータが作動した場合、その旨を使用者に知らせることができるガス給湯装置を提供することを目的とする。【解決手段】マイコンメータ５ａの遮断出力信号を給湯機１の制御装置３ａに入力することにより、ガス漏れ等によりガスの供給が遮断された時に、給湯機１をコントロールする遠隔操作装置２ａ、２ｂの報知手段２ｃ、２ｄから、ガス漏れによりガスを遮断している旨の報知ができるようにした。【選択図】  図１
2004225931.tif 000002
【特許請求の範囲】
【請求項１】
給湯機と、この給湯機をコントロールする複数の遠隔操作装置と、ガス漏れを検知し供給ガスを遮断するマイコンメータとを備え、前記給湯機は、マイコンメータからのガス供給の遮断出力信号が入力される制御装置を有し、前記複数の遠隔操作装置には、遮断出力信号により、ガス漏れが発生しマイコンメータが供給ガスを遮断していることを報知する報知手段を設けたガス給湯装置。
【請求項２】
給湯機と複数の遠隔操作装置およびマイコンメータとを有線で接続した請求項１に記載のガス給湯装置。
【請求項３】
給湯機と複数の遠隔操作装置とを無線で接続し、給湯機とマイコンメータとを有線で接続した請求項１に記載のガス給湯装置。
【請求項４】
給湯機と複数の遠隔操作装置とを有線で接続し、給湯機とマイコンメータとを無線で接続した請求項１に記載のガス給湯装置。
【請求項５】
給湯機と複数の遠隔操作装置およびマイコンメータとを無線で接続した請求項１に記載のガス給湯装置。
【請求項６】
マイコンメータからのガス供給の遮断出力信号を、遠隔操作装置に設けた入力部を介して制御装置に入力した請求項１に記載のガス給湯装置。
【請求項７】
マイコンメータからのガス供給の遮断出力信号を、給湯機の制御装置から遠隔操作装置へ信号を送受信するための通信ユニットに設けた入力部に有線で入力した請求項３に記載のガス給湯装置。
【発明の詳細な説明】
【０００１】
【発明の属する技術分野】
本発明はガス漏れを検知し供給ガスを遮断するマイコンメータを備えたガス給湯装置に関するものである。
【０００２】
【従来の技術】
従来、家庭内でガス漏れが発生しマイコンメータが作動しガスを遮断した場合、マイコンメータに連動したガス漏れ警報機を設置していない家庭では、一般に、マイコンメータの設置が屋外であるため（例えば、特許文献１参照）、ガスを遮断している状況を判断するには、使用者が複数のガス器具を同時に使ってみて、いずれの器具も使用できないことから、はじめてガスが遮断されていると判断するしか手段が無かった。
【０００３】
【特許文献１】
特開平０８−１３８１７１号公報
【０００４】
【発明が解決しようとする課題】
したがって、従来のガス給湯装置においては、家庭内でガス漏れが発生しマイコンメータが作動した場合、使用者は、給湯機から湯が出ないため、給湯機の故障と思い込み、ガス会社、燃料店あるいはガス機器のサービス会社に無用なサービスコールを行うことがあった。
【０００５】
本発明は、前記従来の課題を解決するもので、ガス漏れによりマイコンメータが作動しガスの供給が遮断された時には、その旨を報知できるガス給湯装置を提供することを目的とするものである。
【０００６】
【課題を解決するための手段】
前記目的を達成するために、本発明のガス給湯装置は、給湯機には、マイコンメータからのガス供給の遮断出力信号が入力される制御装置を有し、複数の遠隔操作装置には、遮断出力信号により、ガス漏れが発生しマイコンメータが供給ガスを遮断していることを報知する報知手段を設けたものである。
【０００７】
これにより、ガス漏れによりマイコンメータが作動しガスの供給が遮断された時には、その旨を、給湯機をコントロールする遠隔操作装置の報知手段にて報知でき、使用者に、マイコンメータの作動によりガスが遮断されていることを確実に認識させることができる。
【０００８】
【発明の実施の形態】
請求項１に記載の発明は、給湯機と、この給湯機をコントロールする複数の遠隔操作装置と、ガス漏れを検知し供給ガスを遮断するマイコンメータとを備え、前記給湯機は、マイコンメータからのガス供給の遮断出力信号が入力される制御装置を有し、前記複数の遠隔操作装置には、遮断出力信号により、ガス漏れが発生しマイコンメータが供給ガスを遮断していることを報知する報知手段を設けたガス給湯装置としたことにより、ガス漏れによりマイコンメータが作動しガスの供給が遮断された時には、その旨を、給湯機をコントロールする遠隔操作装置の報知手段にて報知（表示素子、音声あるいはメロディー等）でき、使用者に、マイコンメータの作動によりガスが遮断されていることを確実に認識させることができる。したがって、ガス会社、燃料店あるいはガス機器のサービス会社に無用なサービスコールをすることも無くなり、使用者がガス漏れを点検し異常要因を解除すれば、マイコンメータを操作することでガス供給を復帰することができるものである。
【０００９】
請求項２に記載の発明は、給湯機と複数の遠隔操作装置およびマイコンメータとを有線で接続した請求項１に記載のガス給湯装置としたことにより、ガス漏れによりマイコンメータが作動しガスの供給が遮断された時には、その旨を、給湯機をコントロールする遠隔操作装置の報知手段にて確実に報知することができる。
【００１０】
請求項３に記載の発明は、給湯機と複数の遠隔操作装置とを無線で接続し、給湯機とマイコンメータとを有線で接続した請求項１に記載のガス給湯装置としたことにより、給湯機をコントロールする遠隔操作装置の設置の自由度が得られるとともに、ガス漏れによりマイコンメータが作動しガスの供給が遮断された時には、その旨を報知手段にて報知することができる。
【００１１】
請求項４に記載の発明は、給湯機と複数の遠隔操作装置とを有線で接続し、給湯機とマイコンメータとを無線で接続した請求項１に記載のガス給湯装置としたことにより、マイコンメータの設置の自由度が得られるとともに、ガス漏れによりマイコンメータが作動しガスの供給が遮断された時には、その旨を報知手段にて報知することができる。
【００１２】
請求項５に記載の発明は、給湯機と複数の遠隔操作装置およびマイコンメータとを無線で接続した請求項１に記載のガス給湯装置としたことにより、遠隔操作装置およびマイコンメータの設置の自由度が得られるとともに、ガス漏れによりマイコンメータが作動しガスの供給が遮断された時には、その旨を報知手段にて報知することができる。
【００１３】
請求項６に記載の発明は、マイコンメータからのガス供給の遮断出力信号を、遠隔操作装置に設けた入力部を介して制御装置に入力した請求項１に記載のガス給湯装置としたことにより、給湯機の制御装置構成が簡素化され、ガス漏れによりマイコンメータが作動しガスの供給が遮断された時には、その旨を報知手段にて報知することができる。
【００１４】
請求項７に記載の発明は、マイコンメータからのガス供給の遮断出力信号を、給湯機の制御装置から遠隔操作装置へ信号を送受信するための通信ユニットに設けた入力部に有線で入力した請求項３に記載のガス給湯装置としたことにより、給湯機をコントロールする遠隔操作装置の設置の自由度が得られるとともに、給湯機の制御装置構成が簡素化され、ガス漏れによりマイコンメータが作動しガスの供給が遮断された時には、その旨を報知手段にて報知することができる。
【００１５】
【実施例】
以下、本発明の実施例について、図面を参照して説明する。
【００１６】
（実施例１）
図１は本発明の実施例１におけるガス給湯装置を示している。
【００１７】
図において、１は給湯機、２ａ、２ｂは給湯機１をコントロールする複数の有線式の遠隔操作装置で、それぞれ台所、浴室等に設置されている。３ａは給湯機１内に設けられガス給湯装置を制御する制御装置で、信号線４ａにより遠隔操作装置２ａ、２ｂと接続され、制御装置３ａ内の入力部３ｂにマイコンメータ５ａの遮断信号出力発生部５ｂからのガスの遮断出力信号が入力されるように信号線４ｂで接続されている。マイコンメータ５ａは、ガス漏れを検知し供給ガスを遮断する安全装置を構成しているものであり、一般的には屋外に設置されている。
【００１８】
また、前記複数の遠隔操作装置２ａ、２ｂには、遮断信号出力発生部５ｂからのガスの遮断出力信号により、ガス漏れが発生しマイコンメータ５ａが供給ガスを遮断していることを報知する報知手段２ｃ、２ｄを設けている。この報知手段２ｃ、２ｄは、表示素子、音声あるいはメロディー等で報知可能としたものであり、特に具体手段は限定されるものではない。
【００１９】
次に、上記構成の動作について説明する。
【００２０】
万一、家庭内のガス漏れ等でマイコンメータ５ａが作動した場合、遮断出力信号発生部５ｂからの遮断出力信号は、信号線４ｂから制御装置３ａの入力部３ｂを経由して、制御装置３ａに入力される。制御装置３ａはその信号を受け、信号線４ａから遠隔操作装置２ａ、２ｂに信号を送り、あらかじめ設定されているように遠隔操作装置２ａ、２ｂに対し、マイコンメータ５ａが作動し家庭へのガスの供給が遮断されている旨の報知を、給湯機１をコントロールする遠隔操作装置２ａ、２ｂに備えた報知手段２ｃ、２ｄで報知させ、遠隔操作装置２ａ、２ｂ付近、一般的には台所、あるいは浴室付近にいる使用者に知らせる。これは有線により確実に行われる。これにより、ガス会社、燃料店あるいはガス機器のサービス会社に無用なサービスコールをすることも無くなり、使用者がガス漏れを点検し異常要因を解除すれば、マイコンメータ５ａを操作することでガス供給を復帰することができるものである。
【００２１】
（実施例２）
図２は本発明の実施例２におけるガス給湯装置を示している。実施例１との共通要素については同一符号を付して説明を省略する。
【００２２】
相違点は、給湯機１に、通信ユニット６ａと、これと制御装置３ａを接続する信号線６ｂを備え、給湯機１をコントロールする遠隔操作装置を無線式の遠隔操作装置９ａ、９ｂとし、遠隔操作装置９ａ、９ｂには報知手段９ｃ、９ｄを設けたことである。前記通信ユニット６ａは、制御装置３ａからの制御信号と遠隔操作装置９ａ、９ｂからのコントロール信号を送受信するものである。
【００２３】
次に上記構成の動作について説明する。
【００２４】
万一、家庭内のガス漏れ等でマイコンメータ５ａが作動した場合、遮断出力信号発生部５ｂからの遮断出力信号は、信号線４ｂから制御装置３ａの入力部３ｂを経由して、制御装置３ａに入力される。制御装置３ａはその信号を受け、あらかじめ設定されているように各遠隔操作装置９ａ、９ｂに対し、信号線６ｂを経由して通信ユニット６ａから無線手段で、マイコンメータ５ａが作動し家庭へのガスの供給が遮断されている旨の信号を発信させ、遠隔操作装置９ａ、９ｂに備えた報知手段９ｃ、９ｄで報知させ、遠隔操作装置９ａ、９ｂ付近いる使用者に知らせる。これは給湯機１をコントロールする遠隔操作装置９ａ、９ｂの設置の自由度を確保しつつ行える。これにより、ガス会社、燃料店あるいはガス機器のサービス会社に無用なサービスコールをすることも無くなり、使用者がガス漏れを点検し異常要因を解除すれば、マイコンメータ５ａを操作することでガス供給を復帰することができるものである。
【００２５】
（実施例３）
図３は本発明の実施例３におけるガス給湯装置を示している。実施例１との共通要素については同一符号を付して説明を省略する。
【００２６】
相違点は、給湯機１に、受信装置７ａと、これと入力部３ｂを接続する信号線７ｂを備え、マイコンメータ５ａには、遮断出力信号発生部５ｂの遮断出力信号を発信するための送信装置８を設け、無線で給湯機１の受信装置７ａに発信するようにしたことである。
【００２７】
次に上記構成の動作について説明する。
【００２８】
万一、家庭内のガス漏れ等でマイコンメータ５ａが作動した場合、遮断出力信号発生部５ｂからの遮断出力信号は、送信装置８から無線で給湯機１の受信装置７ａに発信する。そして、その信号は信号線７ｂ、入力部３ｂを経由して制御装置３ａに届き、制御装置３ａは、信号線４ａを経由して有線式の遠隔操作装置２ａ、２ｂに対し、マイコンメータ５ａが作動し家庭へのガスの供給が遮断されている旨の信号を送信し、各遠隔操作装置２ａ、２ｂに備えた報知手段２ｃ、２ｄで報知させ、遠隔操作装置２ａ、２ｂ付近にいる使用者に知らせる。これはマイコンメータ５ａの設置の自由度を確保しつつ行える。これにより、ガス会社、燃料店あるいはガス機器のサービス会社に無用なサービスコールをすることも無くなり、使用者がガス漏れを点検し異常要因を解除すれば、マイコンメータ５ａを操作することでガス供給を復帰することができるものである。
【００２９】
（実施例４）
図４は本発明の実施例４におけるガス給湯装置を示している。実施例１〜３との共通要素については同一符号を付して説明を省略する。
【００３０】
本実施例は、給湯機１と複数の遠隔操作装置９ａ、９ｂおよびマイコンメータ５ａとをいずれも無線で接続したものであり、マイコンメータ５ａの送信装置８は、遮断出力信号を給湯機１の通信ユニット６ａに無線で入力するようにしている。
【００３１】
次に、上記構成の動作について説明する。
【００３２】
万一、家庭内のガス漏れ等でマイコンメータ５ａが作動した場合、遮断出力信号発生部５ｂからの遮断出力信号は、送信装置８から給湯機１の通信ユニット６ａに送信される。通信ユニット６ａからの遮断出力信号は、信号線６ｂを経由して制御装置３ａに入力される。制御装置３ａはその遮断出力信号を受け、あらかじめ設定されているように遠隔操作装置９ａ、９ｂに対し、信号線６ｂを経由して通信ユニット６ａから無線手段で、マイコンメータ５ａが作動し家庭へのガスの供給が遮断されている旨の信号を発信させ、各遠隔操作装置９ａ、９ｂに備えた報知手段９ｃ、９ｄで報知させ、遠隔操作装置９ａ、９ｂ付近にいる使用者に知らせる。これはマイコンメータ５ａ、遠隔操作装置９ａ、９ｂの設置の自由度をを確保しつつ行える。これにより、ガス会社、燃料店あるいはガス機器のサービス会社に無用なサービスコールをすることも無くなり、使用者がガス漏れを点検し異常要因を解除すれば、マイコンメータ５ａを操作することでガス供給を復帰することができるものである。
【００３３】
（実施例５）
図５は本発明の実施例５におけるガス給湯装置を示している。実施例１との共通要素については同一符号を付して説明を省略する。
【００３４】
相違点は、マイコンメータ５ａが作動した場合、遮断出力信号発生部５ｂからの遮断出力信号が、信号線４ｂから有線式の遠隔操作装置２ａに設けた入力部１０に入力され、信号線４ａを経て制御装置３ａに入力されるようになっていることである。これにより、給湯機１の制御装置３ａ構成を簡素化している。
【００３５】
上記構成の動作は、入力部１０の設置位置が制御装置３ａではなく、遠隔操作装置２ａに設けてあるだけであり、基本的には実施例１と同様である。
【００３６】
（実施例６）
図６は本発明の実施例６におけるガス給湯装置を示している。実施例２との共通要素については同一符号を付して説明を省略する。
【００３７】
相違点は、マイコンメータ５ａからのガス供給の遮断出力信号を、給湯機１の制御装置３ａから遠隔操作装置９ａ、９ｂへ信号を送受信するための通信ユニット６ａに設けた入力部６ｃに有線で入力したことである。これにより、給湯機１をコントロールする遠隔操作装置９ａ、９ｂの設置の自由度が得られるとともに、給湯機１の制御装置３ａ構成を簡素化している。
【００３８】
上記構成の動作は、入力部６ｃの設置位置が制御装置３ａではなく、通信ユニット６ａに設けてあるだけであり、基本的には実施例２と同様である。
【００３９】
【発明の効果】
以上のように、本発明のガス給湯装置によれば、ガス漏れ等でマイコンメータが作動し、ガスの遮断出力信号を給湯機の制御装置に入力することにより、遮断出力信号発生時に、給湯機をコントロールする遠隔操作装置の報知手段にて報知でき、使用者に、マイコンメータの作動によりガスが遮断されていることを確実に認識させることができるものである。
【図面の簡単な説明】
【図１】図１は本発明の実施例１におけるガス給湯装置を示すブロック図
【図２】図２は本発明の実施例２におけるガス給湯装置を示すブロック図
【図３】図３は本発明の実施例３におけるガス給湯装置を示すブロック図
【図４】図４は本発明の実施例４におけるガス給湯装置を示すブロック図
【図５】図５は本発明の実施例５におけるガス給湯装置を示すブロック図
【図６】図６は本発明の実施例６におけるガス給湯装置を示すブロック図
【符号の説明】
１  給湯機
２ａ、２ｂ  有線式の遠隔操作装置
３ａ  制御装置
３ｂ、６ｃ、１０  入力部
４ａ、４ｂ、６ｂ、７ｂ  信号線
５ａ  マイコンメータ
５ｂ  遮断出力信号発生部
６ａ  通信ユニット
７ａ  受信装置
８  送信装置
９ａ、９ｂ  無線式の遠隔操作装置
【図１】
2004225931.tif 000003
【図２】
2004225931.tif 000004
【図３】
2004225931.tif 000005
【図４】
2004225931.tif 000006
【図５】
2004225931.tif 000007
【図６】
2004225931.tif 000008